(57)【要約】【課題】ファッションセンスが豊かで常に責任を持って働く社会人の身だしなみに相応しいネクタイの着用を助けると共に、装着時においてもネクタイの表側の生地を傷めることも、あるいはネクタイの表側に露出することもなくネクタイの裏側でしっかり固定することが出来て、さらに気に入ったネクタイのデザインを十分に楽しめる機能的で携帯に大変便利なカード型ネクタイ留めを提供する。【解決手段】カード型ネクタイ留めの本体１に切り込み４を入れて凸クリップ５と凹クリップ６を設け、また３個のボタン穴７を設ける。まず凸クリップ５を小剣通し９に挿入し、次に凹クリップ６を小剣通し９に挿入して固定することによってカード型ネクタイ留めをネクタイ側に装着する。最後に、ボタン穴７の１個に、ちょうど対応する位置に来るボタン８を１個選び入れて固定することによってカード型ネクタイ留めを用いてネクタイをワイシャツ側に装着する。【選択図】　図２
2004057783.tif 000002
【特許請求の範囲】
【請求項１】
カード型ネクタイ留めと、前記カード型ネクタイ留めの正面の内側部分にネクタイの小剣通しに挿入する機能を持つ１個もしくは複数個設けられた凸クリップと、前記カード型ネクタイ留めの正面の内側部分にネクタイの小剣通しに挿入して固定する機能を持つ１個もしくは複数個設けられた凹クリップと、前記カード型ネクタイ留めの正面の内側部分にワイシャツのボタンを入れて固定する機能を持つ１個もしくは複数個設けられたボタン穴と、からなることを特徴とするカード型ネクタイ留め。
【請求項２】
カード型ネクタイ留めと、前記カード型ネクタイ留めの正面の外側部分にネクタイの小剣通しに挿入する機能を持つ１個もしくは複数個設けられた凸クリップと、前記カード型ネクタイ留めの正面の内側部分もしくは外側部分にネクタイの小剣通しに挿入して固定する機能を持つ１個もしくは複数個設けられた凹クリップと、からなることを特徴とする請求項１に記載のカード型ネクタイ留め。
【発明の詳細な説明】
【０００１】
【発明の属する技術分野】
本発明は、ネクタイの表側に金属製のネクタイクリップやネクタイピンまたネクタイチェーンが見える従来のネクタイ留めを使用することなく、ネクタイの大剣の裏側に付いている小剣通しとワイシャツのボタンを使用して装着する携帯に大変便利なカード型ネクタイ留めに関するものである。
【０００２】
【従来の技術】
従来のネクタイ留めは、金属製のネクタイクリップやネクタイピンまたネクタイチェーンの３種類が一般的であった。
【０００３】
【発明が解決しようする課題】
従来ネクタイ留めを使用せずネクタイを着用すると、食事の際前屈みになった時ネクタイの剣先の部分が飲食物で汚れたり、また手洗いで前屈みになった時洗面所のシンクの中に垂れ下がって濡れ染みになり不衛生であった。それで、ネクタイの剣先の部分をワイシャツや胸ポケットの中に入れたりネクタイを肩にはねあげたりした。また、いちいち背広の前ボタンを留めてネクタイが汚れないように気をつかった。しかも、風が強い時にはネクタイが左右に飛び跳ねたり、背中の方に裏返って垂れ下がったりして非常に見苦しかった。
【０００４】
これらの不便な状況を解決するため、従来金属製のネクタイクリップやネクタイピンまたネクタイチェーンを用いるのが一般的であった。ネクタイクリップの場合、通勤途中に混雑したバスや電車の中でネクタイから外れた時に、ギザギザの鰐口の部分でネクタイの生地を傷めたり落として紛失することがよくあった。また、体の少しの動きで斜めに歪んでしまうため、常に鏡を見てその位置を補正しないと見苦しい状態になり大変不便であった。また、女性のブラウスは男性のワイシャツとは逆の右前で、ネクタイの左側からブラウスを一緒に挟み込むためにネクタイクリップのデザインが上下逆さまになって男女兼用が難しかった。
【０００５】
ネクタイピンの場合、しっかり針で固定できる反面ネクタイの生地に幾つもの穴が開いて次第に傷む欠点があり、気に入ったデザインや高価なブランド品には使用しない人やまた危険なネクタイピンの針自体を嫌う人も多かった。ネクタイチェーンの場合、混雑した車内で他の人のボタンや持ち物にチェーンが引っ掛かりチェーンが切れたりすることがしばしば生じるため常に気掛かりになった。
【０００６】
近年、学生や若いサラリーマンたちがネクタイ留めを使用しない傾向が広く見られるが、その原因としてきっちり服装を着るという社会の束縛を受けずに気儘に装いたいという風潮や、気に入ったネクタイのデザインをネクタイ留めの硬く冷たい金属部分で遮断することに抵抗感があるためである。特に、金色や銀色に輝くけばけばしさや宝石類や真珠等をあしらった趣味の悪さが挙げられる。さらに、デザインの画一性と選択出来る製品数の少なさやその価格の高さにも嫌われる原因がある。
【０００７】
ネクタイ留めをせずネクタイを着用すると仕事中に見苦しいばかりか邪魔になり、ネクタイがいつも前後左右に揺れるため次第にネクタイの生地が擦り切れて穴が開き、比較的新しい物でもすぐに使い物にならなくなった。一般に社会では服装が身分証明の重要な役割を果たすためきっちりネクタイを装着していないと外見から判断されてしまい、責任感やマナーの欠如と言ったマイナスイメージを上司や得意先のお客様に暗黙のうちに伝えることになり、個人のファッションセンスの問題以前に仕事上の信頼関係や取り引きに多大の影響を及ぼした。
【０００８】
サラリーマンの場合、毎朝違ったネクタイを着用して出勤するためネクタイ留めを家の引出しや小物入れに保管するのが一般的であるが、どうしても比較的小さいためよく紛失したり飲み屋等でリラックスしてネクタイを外した時に、ついうっかりしてネクタイ留めをどこかに忘れてきてしまうことがよくあった。
【０００９】
本発明は、従来のネクタイ留めに見られたネクタイ生地を傷めたり著しくファッション性を欠いた不便で実用的でない様々な問題点を解消することに加えて、常に責任を持って働く社会人としてのきっちりした身だしなみに相応しいネクタイの着用を助けるものである。そして、ファッション的にも毎日気に入ったネクタイのデザインを十分に楽しむことが出来る。さらに、ネクタイの表側にまったく見えることがなく常にネクタイを裏側でしっかり固定する機能的で携帯に大変便利なカード型ネクタイ留めを提供することを目的としている。
【００１０】
【課題を解決するための手段】
カード型ネクタイ留めの正面の内側部分に切り込みを入れることによって、小剣通しに挿入する機能を持つ凸クリップ１個と小剣通しに挿入して固定する機能を持つ凹クリップ２個を設け、またさらにワイシャツのボタンを入れて固定するための機能を持つボタン穴３個を設けることが出来る。
【００１１】
まず、凸クリップをネクタイの大剣の裏側に付いている小剣通しの下側から挿入し、そして凹クリップを小剣通しの上側から挿入して固定することよってカード型ネクタイ留めをネクタイ側に装着することが出来る。次に、３個あるボタン穴のどれか１個に、ちょうど対応する位置に来るワイシャツの１個のボタンを選び入れて固定することによってカード型ネクタイ留めを用いてネクタイをワイシャツ側に装着することが完了する。本発明は、以上のような構成からなるカード型ネクタイ留めである。
【００１２】
【発明の実施の形態】
以下、図面を参照して本発明の実施の形態について説明する。図１は、第１の発明に係わる第１実施例を示す正面２から見た正面図（なお、背面図も切り込み４により貫通して同様の形）である。図１に示したようにカード型ネクタイ留めの本体１にはその正面２の内側部分１３に切り込み４があり、ネクタイの大剣１１の裏側に付いている小剣通し９に挿入する機能を持つ１個の凸クリップ５と、小剣通し９に挿入して固定する機能を持つ２個の凹クリップ６が設けられている。また、正面２の内側部分１３にはさらにワイシャツのボタン８を入れて固定するための機能を持つ紡錘形をした縦型の３個のボタン穴７が設けられている。
【００１３】
図２は、第１の発明に係わる第１実施例を示す正面２から見たネクタイにカード型ネクタイ留めを装着した状態での正面図（但し、図ではネクタイは裏返しになっており大剣１１の剣先１２の裏側と小剣１０の剣先１２の裏側が見える）である。図２に示したようにネクタイの大剣１１の裏側には小剣通し９があり、この小剣通し９にネクタイの小剣１０が挿入された状態になっている。そしてさらに、凹クリップ６が小剣通し９に挿入され固定されているためカード型ネクタイ留めがネクタイ側に装着された状態になっている。そしてこの後、３個あるボタン穴７の一番下の１個に、ちょうど対応する位置に来るワイシャツの１個のボタン８を選び（図では矢印で示している）入れて固定することによってカード型ネクタイ留めを用いてネクタイをワイシャツ側に装着することが出来る。
【００１４】
図３（Ａ）〜（Ｄ）は、第１の発明に係わる第１実施例の装着過程を示す正面２から見た正面図（但し、図では小剣通し９以外のネクタイ本体は省略している）である。図３（Ａ）は、カード型ネクタイ留めをネクタイの大剣１１の裏側に付いている小剣通し９に挿入する直前の状態で、この後図３（Ｂ）に示したように凸クリップ５の先端を小剣通し９の下側から挿入することが出来る。そして、図３（Ｃ）に示したように凸クリップ５の一番下の位置に小剣通し９が来るまで移動させる。
【００１５】
次に、図３（Ｄ）に示したように凹クリップ６（本来凹クリップ６は小剣通し９の下にあるため見えないが図では破線で示している）を小剣通し９の上側から挿入して、凹クリップ６の一番上の位置に小剣通し９が来るまで移動させる。この時点で、凹クリップ６を小剣通し９に固定することになるためカード型ネクタイ留めをネクタイ側に装着することが出来る。最後に、３個あるボタン穴７の一番下の１個に、ちょうど対応する位置に来るワイシャツの１個のボタン８を選び（図では矢印で示している）入れて固定することによって、カード型ネクタイ留めを用いてネクタイをワイシャツ側に装着することが完了する。
【００１６】
ところで、ネクタイの大剣１１の裏側に付いている小剣通し９がカード型ネクタイ留めによって引きちぎられることがないように、特に強い力が加わり引っ張られた時には安全上比較的外れ易く出来ている。しかし、通常の装着時でのネクタイの揺れや引っ張りに対しては凹クリップ６に弾力性があり、確実にネクタイを固定する機能が働いて外れることがないため安心して使用することが出来る。しかも、万一ネクタイが強い力で引っ張られて小剣通し９からカード型ネクタイ留めが外れたとしても、カード型ネクタイ留めはワイシャツのボタン８に固定されたままで残るため落下して紛失することをまったく心配する必要がない。
【００１７】
また、ネクタイの大剣１１の裏側には小剣通し９の他にブランド名を記したタグが取り付けられているネクタイもあるが、このタグの両端がネクタイの生地に縫い付けられているため小剣通し９と同じようにカード型ネクタイ留めを装着して利用することが可能である。
【００１８】
図４（Ａ）〜（Ｃ）は、第１の発明に係わる第１実施例を示す背面３から見た背面図（但し、ワイシャツのボタン８にカード型ネクタイ留めを装着した状態でのネクタイの一部破断正面図であるが、ネクタイの小剣１０は省略している）である。図４（Ａ）は凹クリップ６が小剣通し９に挿入され固定されているためカード型ネクタイ留めがネクタイ側に装着された状態であり、さらにボタン穴７の１個にワイシャツの１個のボタン８が固定されているためカード型ネクタイ留めがワイシャツ側に装着された状態である。
【００１９】
しかし、図４（Ａ）に示した本来の装着と違って、図４（Ｂ）に示したように凹クリップ６を小剣通し９に挿入して固定しているにもかかわらず、カード型ネクタイ留めにある３個のボタン穴７のどれか１個に、ちょうど対応する位置に来るワイシャツの１個のボタン８を選び入れて固定することが出来ない状態が時折生じることがある。その原因として、一つにはカード型ネクタイ留めの長さがワイシャツやブラウスのボタン８とボタン８の間隔の長さにほぼ等しい約８５ｍｍというためである。そしてもう一つには、ネクタイの大剣１１の裏側に付いている小剣通し９の位置がネクタイの種類によって異なっている反面、各個人によって着用するネクタイの結び目の位置が習慣的にほぼ一定しているためである。
【００２０】
それで、図４（Ｂ）に示したようにカード型ネクタイ留めにある３個のボタン穴７のどれか１個に、ちょうど対応する位置に来るにワイシャツの１個のボタン８を選び入れて固定出来ない状態になった時には、図４（Ｃ）に示したようにカード型ネクタイ留めの本体１の上下を逆にして装着することが出来る。
【００２１】
まず、凸クリップ５の先端を小剣通し９の上側から挿入することが出来る。次に、凹クリップ６を小剣通し９の下側から挿入して固定することによってカード型ネクタイ留めをネクタイ側に装着することが出来る。最後に、カード型ネクタイ留めにある３個のボタン穴７の１個に、ちょうど対応する位置に来るワイシャツの１個のボタン８を選び入れて固定することによってカード型ネクタイ留めを用いてネクタイをワイシャツ側に装着することが出来る。しかし、もしこの手順が面倒で気に入らないならもう一度ネクタイの結び目を以前より少しだけずらして結び直すことによって、図２（Ａ）〜（Ｄ）に示した通常の手順でカード型ネクタイ留めを装着することが可能である。
【００２２】
図５（Ａ）〜（Ｆ）は、第１の発明に係わる第２実施例〜第７実施例を示す正面２から見た正面図である。図５（Ａ）に示したようにカード型ネクタイ留めの正面２の内側部分１３には小剣通し９に挿入する機能を持つ凸クリップ１５が１個あり、また正面２の内側部分１３には小剣通し９に挿入して固定する機能を持つ凹クリップ１６が１個ある。図５（Ｂ）では凸クリップ２５が１個あり凹クリップ２６が１個ある。そして、図５（Ｃ）では凸クリップ３５が１個あり凹クリップ３６が２個ある。図５（Ｄ）では凸クリップ４５が１個あり凹クリップ４６が２個ある。
【００２３】
また、図５（Ｅ）では凸クリップ５５が２個あり凹クリップ５６が１個ある。図５（Ｆ）では凸クリップ６５が２個あり凹クリップ６６が１個ある。なお、図５（Ａ）〜（Ｅ）に示したようにカード型ネクタイ留めの正面２の内側部分１３にはワイシャツのボタン８を入れて固定する機能を持つボタン穴７が３個連続して縦に並んでいるが、図５（Ｆ）に示したようにボタン穴７をカード型ネクタイ留めの本体１の上部に１個と下部に２個と分散して設けても可能である。
【００２４】
図６（Ａ）〜（Ｆ）は、第２の発明に係わる第１実施例〜第６実施例を示す正面２から見た正面図である。図６（Ａ）〜（Ｄ）に示したようにカード型ネクタイ留めの正面２の外側部分１４には小剣通し９に挿入する機能を持つ凸クリップ７５、８５、９５、１０５が各々１個あり、また正面２の内側部分１３にはネクタイの小剣通し９に挿入して固定する機能を持つ凹クリップ７６、８６、９６、１０６が各々２個ある。また、図６（Ｅ）では凸クリップ１１５が１個あり凹クリップ１１６が１個ある。
【００２５】
そして、図６（Ｆ）に示したようにカード型ネクタイ留めの正面２の外側部分１４には小剣通し９に挿入する機能を持つ凸クリップ１２５が１個あり、また正面２の外側部分１４には小剣通し９に挿入して固定する機能を持つ凹クリップ１２６が２個ある。なお、カード型ネクタイ留めの正面２の内側部分１３にはワイシャツのボタン８を入れて固定する機能を持つボタン穴７が、図６（Ｆ）に示したように上部に１個と下部に４個と分散して縦に並んでいるが、本来紡錘形をした縦型のボタン穴７を横型のボタン穴７に変更しても可能である。
【００２６】
本発明において、凸クリップ５〜１３５や凹クリップ６〜１３６の形状やその設置場所あるいは切り込み４の大きさに関しては実施例のみに限定されるものではない。またさらに、ボタン穴７の形状やその設置場所やその数に関しても実施例にのみ限定されるものではなく、特許請求の範囲の記載内において数々の変形が可能である。例えば、紡錘形をした縦型や横型のボタン穴７を長方形や楕円形などの形状にした縦型や横型のボタン穴７に変形したりその数を増やすことも可能である。
【００２７】
図７（Ａ）〜（Ｃ）は、第１の発明に係わる第８実施例〜第１０実施例を示す正面２から見た正面図である。図７（Ａ）に示したようにカード型ネクタイ留めの本体１の長手方向を約２倍の大きさにした折り畳み式の形状（なお、図に示した一点鎖線は折り返し線である）にすることも出来る。それで、図７（Ａ）に示したように図１（Ａ）のカード型ネクタイ留めの３個のボタン穴７に比べてさらに５個増やすことが出来る。これによって、カード型ネクタイ留めにあるボタン穴７にさらにもう１個、ちょうど対応する位置に来るワイシャツの１個のボタン８を選び入れて固定することが出来るため、カード型ネクタイ留めを用いてネクタイをワイシャツ側に一層しっかり装着することが可能である。
【００２８】
また、図７（Ｂ）に示したように差し込み１７と差し込み口１８をそれぞれ設けるなら、折り畳んで収納式の形状にすることが出来るため携帯にちょうど良いカードサイズに収まるので大変便利である。そして、カード型ネクタイ留めのボタン穴７を差し込み１７のある方の正面２の内側部分１３に３個と、また差し込み口１８のある方の正面２の内側部分１３に２個増やすことによって、図７（Ａ）と同様にカード型ネクタイ留めを用いてネクタイをワイシャツ側に一層しっかり装着することが可能である。そしてまた、差し込み１７と差し込み口１８に関しては実施例に限定されるものではなく数々の変形が可能である。
【００２９】
もし図７（Ａ）や図７（Ｂ）のような折り畳み式や収納式の形状にするなら、図４（Ｂ）に示したようにカード型ネクタイ留めにある３個のボタン穴７のどれか１個に、ちょうど対応する位置に来るワイシャツの１個のボタン８を選び入れて固定することが出来ない状況になっても、図４（Ｃ）に示したようなカード型ネクタイ留めの本体１の上下を逆にすることもなく、あるいはもう一度ネクタイの結び目を以前より少しだけずらして結び直す必要もなくなるので便利である。
【００３０】
図７（Ｃ）は、第１の発明に係わる第１０実施例を示す正面２から見た正面図である。図７（Ｃ）に示したようにカード型ネクタイ留めの正面２の内側部分１３には小剣通し９に挿入する機能を持つ凸クリップ１３５が１個あり、また正面２の内側部分１３には小剣通し９に挿入して固定する機能を持つ凹クリップ１３６が１個ある。また、カード型ネクタイ留めの本体１の短手方向を短くして約半分の大きさにして一層コンパクトな形状に変形することも可能であり、一般的なネクタイよりネクタイ幅の狭いタイプに対しても利用が可能である。特に、女性のブラウス用等の細身のネクタイには一般的なカードサイズより小型のスリムなカード型ネクタイ留めが便利である。
【００３１】
ところで、使用方法の説明のためカード型ネクタイ留めの本体１に装着手順を印刷して表示するならば一層分かりやすくなる。そして、カード型ネクタイ留めの大きさに関してはテレホンカードや回数券カードなどの大きさや厚さに限定されるものではなく、特許請求の範囲の記載内において数々の変形が可能である。
【００３２】
本発明において、カード型ネクタイ留めの製造にはポリエチレンテレフタレートを用いることが望ましいが、ポリエチレンやポリプロピレンなどの様々な種類の合成樹脂や紙また合成紙や金属製の素材を使うことも可能である。
【００３３】
【発明の効果】
本発明によって、食事の時や手洗いの時に前屈みになってもネクタイの剣先の部分が飲食物で汚れたり、水に濡れて染みになることを心配しなくても良くなった。また、たとえ混雑した車内でネクタイが強い力で引っ張られても、カード型ネクタイ留めは落ちずにワイシャツのボタンに残るため、再びネクタイに簡単にスピーディーに装着することが出来て紛失の心配がまったくなくなった。
【００３４】
ネクタイの表側の生地を傷めることがないため経済的である。また、現在所有しているすべての種類のネクタイに対して使用することが出来ることに加え、ネクタイ本体の改良や付属品がまったく不要である。
【００３５】
ネクタイの表面に露出することがないため気に入ったネクタイのデザインを十分楽しめ、若い人々に嫌われる趣味の悪い従来のネクタイ留めが不要である。さらに、従来ネクタイ留めは比較的値段が高く種類が少なかったため、ネクタイは毎日違ってもほぼ毎日同じネクタイ留めをして出勤することが多く、ファッション性に欠けるばかりかネクタイ留め自体が比較的早く磨耗して見苦しい状態になったが、このカード型ネクタイ留めは毎朝その日の気分によって好きなものを選べる楽しさがある。それと共に、会社内外でいつも責任を持って働く社会人としてきっちりした身だしなみに相応しいネクタイの着用を助けるものである。
【００３６】
このカード型ネクタイ留めはテレホンカードや定期券カードとほぼ同じ大きさのため定期入れや財布に携帯出来て非常に便利であり、さらにいつも使用しているネクタイ留めを忘れた時の緊急用として、また同僚や得意先のお客様のプレゼント用として、あるいはビジネス用の名刺代わりとしても利用可能である。
【００３７】
そして、安価に大量生産出来るため会社や商店また喫茶店の宣伝用として、またギフト商品やカレンダーとして活用出来る。さらに、ネクタイの販売時の粗品や名刺として活用するなら絶好のビジネスチャンスになる可能性がある。ビジネス用の処世訓を印刷したり、心を癒す草花や動物また風景や家族の写真の他にブロマイドとして印刷し利用するなら、各個人が３６５日違ったものを自由に楽しめる上に毎日の気分を自ら高めて仕事への活力を一層増すものになるであろう。
【００３８】
右前や左前に関係なくワイシャツやブラウスに自由に装着出来るため、中高生の男女兼用の制服用ネクタイに幅広く利用出来るので大変便利である。いつでも定期入れや生徒手帳に入れて携帯出来るため通学時はもとより、特に始業式や終業式などの学校行事の際にきっちり着用することが出来る。また、学校の様々な行事予定やカレンダーを印刷するなら非常に便利である。
【００３９】
将来技術的な問題を解決することが出来るなら、テレホンカードや図書カードまた定期券カードが使用済みになった時に、カード型ネクタイ留めとして再利用出来るようにあらかじめ簡易な切り込みをカードに入れておくことも考えられる。
【００４０】
また、カード型ネクタイ留めの正面や背面をミラー状にコーティングするなら、常時鏡を携帯することが女性よりも少ない男性にとって鏡のない場所や部屋でも身だしなみをスピーディーにいつも整えることが出来る。食事のあとのエチケット用のコンパクトな手鏡にもなり、手鏡を持つことに抵抗感がある中年以上の男性サラリーマンにとって朗報であり、特に最近急速に増えつつあるお洒落な若い男性サラリーマンにとっては必需品と言えるであろう。
【図面の簡単な説明】
【図１】第１の発明に係わる第１実施例を示す正面から見た正面図である。
【図２】第１の発明に係わる第１実施例を示す正面から見たネクタイにカード型ネクタイ留めを装着した状態での正面図である。
【図３】第１の発明に係わる第１実施例の装着過程を示す正面から見た正面図（Ａ）〜（Ｄ）である。
【図４】第１の発明に係わる第１実施例を示す背面から見たネクタイにカード型ネクタイ留めを装着した状態での背面図である。
【図５】第１の発明に係わる第２実施例〜第７実施例を示す正面から見た正面図（Ａ）〜（Ｆ）である。
【図６】第２の発明に係わる第１実施例〜第６実施例を示す正面から見た正面図（Ａ）〜（Ｆ）である。
【図７】第１の発明に係わる第８実施例〜第１０実施例を示す正面から見た正面図（Ａ）〜（Ｃ）である。
【符号の説明】
１　　本体
２　　正面
３　　背面
４　　切り込み
５、１５、２５、３５、４５、５５、６５、７５、８５、９５、１０５、
１１５、１２５、１３５　　凸クリップ
６、１６、２６、３６、４６、５６、６６、７６、８６、９６、１０６、
１１６、１２６、１３６　　凹クリップ
７　　ボタン穴
８　　ボタン
９　　小剣通し
１０　　小剣
１１　　大剣
１２　　剣先
１３　　内側部分
１４　　外側部分
１７　　差し込み
１８　　差し込み口
【図１】
2004057783.tif 000003
【図２】
2004057783.tif 000004
【図３】
2004057783.tif 000005
【図４】
2004057783.tif 000006
【図５】
2004057783.tif 000007
【図６】
2004057783.tif 000008
【図７】
2004057783.tif 000009